(57)【要約】【課題】  従来のマスクおよび従来の電気ツボ刺激器が別々の物として開発されていた点を改め、マスクと電気ツボ刺激器の両方の効果を兼ね備える健康器具を提供する。【解決手段】  人体曲線に応じて皮膚上に完全に密着する軟質膜を利用し、人体ツボ或いは神経筋肉刺激点に対応する位置に電極３を設置し、前記軟質膜を人体顔面と相互に対応するマスク形状に成形したマスク１を顔上に密着させ、接続された電気パルス発生器２によりパルス電流を導入すると、これら電極３は対応するツボ位置或いは神経筋肉刺激点を刺激し、顔面の経絡を通し、皮下血液循環を促進する等の効果を発揮し、美容効果とマッサージによる健康効果を兼ね備える目標を達成する。【選択図】  図１
0003137239.tif 000002
【実用新案登録請求の範囲】
【請求項１】
顔面の曲線に応じて使用者の顔面に密着可能な弾性を有するマスクと、
このマスクに関連付ける薄膜であって、電気パルス電流を受けてツボ或いは神経筋肉の刺激点を刺激可能な電極を有する薄膜と、
を備えることを特徴とする健康器具。
【請求項２】
前記マスクは、綿、シルク、紙、麻、合成繊維、半合成繊維および天然と合成繊維の混紡のうち少なくとも一つから形成されることを特徴とする請求項１記載の健康器具。
【請求項３】
前記電気パルス電流は、ボタン式接続器、磁力接続器、ステッチ接続器、或いは印刷回路板接続器に供給されることを特徴とする請求項１記載の健康器具。
【請求項４】
前記電極と前記電気パルス電流を供給される接続器との間の導電線材は、導電性金属、導電性ゴム、導電性高分子のうち少なくとも一つから形成されることを特徴とする請求項１記載の健康器具。
【請求項５】
前記電極と、前記電極と前記電気パルス電流を供給される接続器と、の間の導電線材は、印刷回路板上に設けられることを特徴とする請求項１記載の健康器具。
【請求項６】
前記電極および前記導電線材は、銀インク、銅インク、酸化亜鉛、酸化ジルコニウム等、導電性トナー、導電性高分子、導電ゴム、導電シリコン、或いは上記材料の導電性混合物のうちの少なくとも一つから形成されることを特徴とする請求項５記載の健康器具。
【請求項７】
前記マスクは顔を完全に覆い、或いは一部を覆い、顔の部位に応じて形成されることを特徴とする請求項１記載の健康器具。
【請求項８】
人体曲線に適合し、皮膚表面に密着可能な弾性を有する薄膜を含み、
該薄膜上の電極は、電気パルス電流を受け取り、ツボ或いは神経筋肉の刺激点を刺激し、
該薄膜の形状は、身体の部位に応じて形成されることを特徴とする健康器具。
【請求項９】
前記薄膜は、皮膚を保護する抽出液或いは医療用薬品調剤を含むことを特徴とする請求項８記載の健康器具。
【請求項１０】
前記電極と前記電気パルス電流を受け取る導電線材は、印刷回路板上に設けられることを特徴とする請求項８記載の健康器具。
【請求項１１】
人体曲線に適合し皮膚表面に密着可能な弾性を有するマスクと、薄膜と、電気パルス発生器とを含み、
該薄膜上の電極は電気パルス電流を受け取り、ツボ或いは神経筋肉の刺激点を刺激し、
該電気パルス発生器の電極は、網状導体を経由し電力をネットワークに連結し、電気パルス電流を発送し、これにより網状電極は導体を通過し、
該薄膜の形状は身体の部位に応じて形成されることを特徴とする健康器具。
【請求項１２】
前記電気パルス発生器は、低周波皮膚経由電気刺激器、調節式中周波電気刺激器、キャリア皮膚経由電気刺激器、微小皮膚経由電気刺激器のうちの少なくとも一つから形成されることを特徴とする請求項１１記載の健康器具。
【請求項１３】
前記電気パルス発生器が発生するパルスは、少なくとも一種の波形と周波数により組成されることを特徴とする請求項１１記載の健康器具。
【請求項１４】
前記薄膜は、前記電気パルス発生器を介して電線と接続されることを特徴とする請求項１１記載の健康器具。
【考案の詳細な説明】
【技術分野】
【０００１】
本考案は、健康器具に関する。特に一種の人体曲線に応じて皮膚上に完全に密着する軟質膜を利用し、人体ツボ位置或いは神経筋肉刺激点に対応する位置に電極を設置し、該軟質膜を人体顔面と相互に対応するマスク形状に成型し顔上に密着させ、接続する電気パルス発生器によりパルス電流を導入すると、これら電極は対応するツボ位置或いは神経筋肉刺激点を刺激可能で、顔面の経絡を通し、皮下血液循環を促進する等の効果を発揮し、美容効果と電子鍼灸マッサージによる健康効果を兼ね備える目標を達成する。本考案はさらに人体のその他部位にも応用可能で、人体特定部位に対応する形状に成形し、これにより消費者は快適かつ便利に人体各特定部位の皮膚の手入れ及び健康保持を行うことができる。
【背景技術】
【０００２】
近年、各種美容用マスクは消費者に高く支持されており、台湾では、このタイプの製品の年間消費量は１．２億枚／年に達している。従来のマスクは一般に吸湿材質で、天然動植物から抽出した抽出液或いは化学品中に浸したもので、皮膚に対して保湿、美白、滋養の効果を備える。マスクは一般に目、鼻、口部分は開口となっており、使用時には視覚が保持され、呼吸も話すことも可能である。マスク中の保湿液が充分に顔の皮膚と接触することで、化合物と無機鉱物の成分を備えるマスク中の保湿液が皮膚にもたらされ、マスクの皮膚保護効果を発揮することができる。
従来のマスクの中には、ゴム或いはプラスチックの材質により製造されるものがある。このタイプのマスクは吸湿性を備えないため、マスク内の保湿液を顔面に密着させた後、別のベルト或いはその他の道具により顔上に固定する必要がある。さらにその形状は貝殼状構造に類似するため、柔軟性に限界があり、使用者の顔面の立体形状及び輪郭曲線に沿って調整することができない。よって、この種の不吸湿のゴム或いはプラスチックマスクを顔の皮膚に密着させることは不可能である。
別にシリコン材料を使用し製造するマスクもあるが、これは米国特許出願公開第２００４／０１３９９８１号の赤外線を備える装置である。一方、前記のマスク製品には経絡刺激とマッサージ機能を備える装置は配備されていない。
【０００３】
鍼灸とマッサージは美容、治療、医療、保健において悠久の歴史を有する。しかし一般人にとって鍼灸とマッサージの習得は難しく、安全と治療効果を備える鍼灸とマッサージ療法には、正確なツボ位置を把握するため、経験と長期の訓練が必要である。
鍼灸は基本的に２種に分けられる。
一つは、針をツボに刺す侵入性鍼灸で、もう一つは電気パルス方式により皮膚表面からツボを刺激する非侵入性鍼灸である。衛生的な考慮と心理的な恐怖感から、侵入性鍼灸が大衆に広く受けいれられることは難しく、対して非侵入性鍼灸は広く行われている。
非侵入性の皮膚経由ツボ電気刺激器は、主に電気パルス発生器により低周波、中周波、或いは調節式電気パルスを提供し、同時に電極を統合する接着シートを皮膚上に密着させる。この種の刺激器の使用では、電極接着シートを使用者皮膚上に接着させ、電気パルス発生器をオンにし、ツボ位置或いは神経筋肉の刺激点を刺激及びマッサージする必要がある。
【０００４】
米国特許出願公開第２００２／０１６１４１６号の内容によれば、シリコンにより顔の額区の上部マスク、頬区の下部マスク、及び頚部区の頚部マスクを製造し、嵌入金属電極の作用により神経と筋肉を刺激し、顔上刺激点の参考指標とするため、電極接着シート上には指標があり押すことができる。しかしシリコンマスクそのものは皮膚上に密着しないため、使用者顔上のマスクを支えるために、マスク構造内には固定のため、粘着ベルト、ボタン、ホック等の道具が必要である。けれども各電極の相対位置は調整できないため、実際の使用時には、ツボ位置の理想的な刺激点に電極を固定することは難しい。また、シリコンゴムは保湿液、潤い化粧品或いは治療効果の材質を吸収しないため、浸透方式によりこれら材質をマスクに注入することはできない。
国際公開第９６／０００１０８号と米国特許第５５２７３５７号の挟層型のマスクは、数個の通孔を形成する内敷層を備え、電極は各通孔を貫通する。前記各電極前端は使用者の顔面に接触し、その電極末端はフレキシブル回路板に接続する。しかし、前記マスク外殼はやや微硬化を呈するため、顔面の立体曲線にスムーズに合わせることはできず、よって電極を予期の刺激点に接触させるため、前記各電極は縦方向に配置し、これにより電極前端位置は緊密に使用者の顔面に接触させる。
米国特許出願公開第２００５／０１０１９９４号の背面ベルトにより使用者の顔に固定するマスクは、両側にエアチューブを備え、頬の両側のエアチューブに平面電極を配置する。前記エアチューブは周期的に空気の出入りを繰り返し、使用者の顔面をマッサージする。前記エアチューブに空気を充填する時には、電極は頬に密着し、電気パルス発生器をオンにすると、電極は皮膚に緊密に接触し、電気刺激の効果を達成する。
米国特許第６６９４１８３号は顔面皮膚の洗浄装置で、マスク上に設置する一対の電極、交替洗浄電力信号を発する洗浄信号発生器を含む。前記一対の電極は信号発生器に接続され、マスク吸湿区内の洗浄液に作用を生じさせ、洗浄液は解離し電荷分子を帯び洗浄信号を発し、マスク表面に前後交替の往復動作を発生させる。しかし、この種の装置には経絡を刺激する機能はない。
公開特許公報２００３−３３９８８４号は刺激器を備え、波形と周波数を交互に発生する。大多数は単一の電極接着シートである。
米国特許第５０９９８２９号は低周波電気パルス発生器を備えるアイマスクである。前記アイマスクは多数の通孔を備える二層構造で、使用者頭部に固定するフックベルトと２組の導電帯を連結する対称伝導投射装置を備える。しかし、美容保湿液はこの種の装置に適さないため、前記装置は使用者の皮膚、特に目元に潤いを与えることはできない。
【特許文献１】米国特許出願公開第２００４／０１３９９８１号明細書
【特許文献２】米国特許出願公開第２００２／０１６１４１６号明細書
【特許文献３】国際公開第９６／０００１０８号パンフレット
【特許文献４】米国特許第５５２７３５７号明細書
【特許文献５】米国特許出願公開第２００５／０１０１９９４号明細書
【特許文献６】米国特許第６６９４１８３号明細書
【特許文献７】特開２００３−３３９８８４号公報
【特許文献８】米国特許第５０９９８２９号明細書
【考案の開示】
【考案が解決しようとする課題】
【０００５】
現在のところ、皮膚経由ツボ電気刺激器の製品で、弾性薄膜の特徴と美容液を結合した民生用商品は開発されていない。業務用製品でも、便利で快適な使用程度には未だ達しておらず、マスクと電気ツボ刺激器の効果を兼ね備える製品は見られない。
本考案が解決しようとする課題は、従来のマスクおよび従来の電気ツボ刺激器が別々の物として開発されていた点を改め、マスクと電気ツボ刺激器の両方の効果を兼ね備える健康器具を提供することにある。
【課題を解決するための手段】
【０００６】
本考案における健康器具は、人体曲線に応じて皮膚上に完全に密着する軟質膜と、人体ツボ位置或いは神経筋肉刺激点に対応する位置に設けられた電極とを有し、
前記軟質膜を人体顔面と相互に対応するマスク形状に成形し顔上に密着させ、
接続する電気パルス発生器によりパルス電流を導入すると、これら電極は対応するツボ位置或いは神経筋肉刺激点を刺激可能で、顔面の経絡を通し、皮下血液循環を促進する等の効果を発揮し、美容効果と、電子鍼灸およびマッサージと同等の効果により健康を増進する効果とを兼ね備える目標を達成する。
本考案における健康器具は、人体のその他部位にも応用可能で、人体特定部位に対応する形状に成形されることにより、消費者は快適かつ便利に人体各特定部位の皮膚の手入れ及び健康保持を行うことができる。
（考案の効果）
【０００７】
本考案は人体曲線に応じて皮膚上に完全に密着する軟質膜を利用し、人体ツボ位置或いは神経筋肉刺激点に対応する位置に電極を設置し、前記軟質膜を人体顔面と相互に対応するマスク形状に成形し顔上に密着させ、接続する電気パルス発生器によりパルス電流を導入すると、これら電極は対応するツボ位置或いは神経筋肉刺激点を刺激可能で、顔面の経絡を通し、皮下血液循環を促進する等の効果を発揮し、美容効果と、電子鍼灸およびマッサージと同等の効果により健康を増進する効果とを兼ね備える目標を達成する。
しかも人体のその他部位にも応用可能で、人体特定部位に対応する形状に成形されることにより、消費者は快適かつ便利に人体各特定部位の皮膚の手入れ及び健康保持を行うことができる。
【考案を実施するための最良の形態】
【０００８】
以下、本考案の実施例を図に基づいて説明する。
図に示す本考案の実施例は説明に用いられるのみで、本考案の請求の範囲を制限するものではない。
（第１実施例）
本考案の第１実施例を図１および図２に示す。第１実施例は、図１および図２に示すように、マスク１、電気パルス発生器２を含む。
マスク１は、第１実施例では軟性材質で、これにより人体と密着する。マスク１の材料は、綿、シルク、紙、麻、合成繊維、半合成織維、天然と合成繊維混紡、或いは不織布等の各種吸水性を備える材料から選択し、これにより美容保健用液体及び医学用薬剤を吸収することができる。
電気パルス発生器２は、マスク１上に設けられ、電気パルス発生器２が発生するパルスは、数本の導線５を経由し、数個の電極３に伝わる。各電極３の位置は顔面ツボ位置或いは神経筋肉刺激点の対応位置である。
電気パルス発生器２のパルスが各電極３に伝わり、マスク1を介し、最も近いツボ位置或いは神経筋肉刺激点に伝わり、鍼灸或いはマッサージの機能と同等の効果を発揮する。各電極３の位置は、マスク1上に設置する数個の目開口１１、鼻開口１２及び口開口１３に応じて定め、顔上の適当な位置に置くと自然に顔面の各対応するツボ位置の近くに位置する。
個人の顔の形や大きさの違いにより、各電極３とツボ位置にズレが生じた場合には、マスク１の柔軟で位置調整が容易という特性を利用し、使用者は簡単に前記各電極３の位置をわずかに移動させ、対応するツボ位置へと動かし、最大の機能と効果を発揮させることができる。さらに、軟性のマスク１と人体皮膚は非常に良好な密着性を備えるため、各電極３は別に粘着テープを配置する必要なく、良好な機能と効果を達成することができる。
【０００９】
マスク１上には、図２及び図４に示すように、マスク１と前記電気パルス発生器２を結合させる接続器４を設置する。接続器４は、図４に示す電気パルス発生器２のコンセント２６と相互に接合し、電流は電気パルス発生器２から前記マスク１上の数本の導線５及び数本の電極３に伝えられる。接続器４は正負両極を備え、回路を構成する。第１実施例中において、接続器４と各電極３間の接続線はすべて外部を絶縁体で覆った導線５で、導線５の一部は接続器４において束にまとめられ、マスク１の中央部位まで伸ばされ、各電極３の所在位置へ分散する。
【００１０】
電気パルス発生器２上には、図３に示すように、電源ＯＮスイッチボタン２１及び電源ＯＦＦスイッチボタン２２、電流強度調整ボタン２３及び異なる波型、周波数の組合せを選択可能なチャンネル選択ボタン２４を設置する。
第１実施例では、電気パルス発生器２は4種のチャンネルを備え、各チャンネルはそれぞれ様々な波型、周波数の組合せを表す。電気パルス発生器２は電池蓋２５を備え、電池蓋２５内部は電池室であり、これを開き電池の交換を行うことができる。
【００１１】
マスク１は目、口、鼻の位置に目開口１１、鼻開口１２及び口開口１３を備えるため、使用時に使用者がマスク1を適当な位置に調整すれば目と口を開けることができ、呼吸も可能である。よって目、口、鼻の開口を利用し、マスク１上には各ツボ位置の相対位置を表示することができる。各人の顔型、大小は同じではないが、ツボ位置と目鼻等五官の相対位置にはそう大きなバラつきはなく、しかもツボ位置は良好な経絡導入の特性を備えるため、各電極３がツボ位置付近にあれば、ツボ刺激の目的を達成することができる。さらに、各種サイズのマスク１を製造することで、顔の大きさが異なる消費者にも適用可能である。
【００１２】
0003137239.tif 000003
【００１３】
マスク１上の電極３の数は、一対、或いは多数対で、偶数である。各電極３の片側は導電性物質を通して電気パルス発生器２と接続し、その他部分は皮膚に接触する。各電極３と人体皮膚の接触は直接接触とし、またはマスク１を隔てた間接接触とすることができる。
各電極３は導電金属材質、導電金属酸化物、導電性トナー、導電性ゴム（conductive rubber）或いはその他導電性高分子（conductive polymers）などの導電性材質により製造する。）
金属材質は銀、銅、或いはその合金が最適で、導電金属酸化物は酸化亜鉛、酸化ジルコニウムが最適である。導電性ゴムはカラヤゴム（karaya gum）或いはその他導電性シリコン（conductive silicone）が最適である。導電性高分子（conductive polymers）はポリアセチレン（polyacetylene）、ポリピロル（polypyrrole）、ポリチオフェン（polythiophene）、ポリアニリン（polyaniline）、及びポリパラフェニレンビニレン（polypara-phenylene vinylene）等で、上記各導電性材質は混合し導電性組合せ物として使用することができる。 
各電極３は導電性物質により製造する印刷回路で、導電性物質を直接前記マスク１上に印刷する。電極印刷材料は液状銀、液状銅、酸化亜鉛、酸化ジルコニウム等の導電性液状金属で、または導電性トナー、導電性高分子、導電ゴム或いは導電シリコン等、或いは上記材料の導電性混合物である。
各電極３をマスク１上の特定位置に固定する方法は、糸により縫いつけ、或いは粘着テープにより貼り付け、或いは挟層式により裏側に固定し、或いはマスク１上に小袋を設け電極３を入れる方式とすることができる。印刷電極は直接印刷可能である。
【００１４】
各電極３と電気パルス発生器２を接続する各導線５は、表面が絶縁されている導線で、導線５は任意に湾曲可能である。その材質は金属材質、金属酸化物、導電性トナー、導電性ゴム或いはその他導電性高分子で、各導線５は糸によりマスク１上に縫いつけ、或いは粘着テープにより貼り付け、或いは挟層式により裏側に固定する。
各導線５は印刷回路で、直接マスク１上に印刷し、各電極３或いは各導線５は導電性物質を印刷或いは電気メッキの方式でマスク１上に製作する。これら印刷電極或いは導線材料は、液状銀或いは液状銅等の液状金属、或いは導電性トナー、導電性高分子或いは導電ゴム或いは導電シリコン等、或いは上記材料の導電性混合物である。液状金属は液状銀或いは液状銅等が好ましく、液状銀が最適である。
印刷法はスクリーン印刷法（screen printing）、或いはインクジェット式印刷法（ink jet printing)を採用し、自動化生産方式を達成する。
導電物質は先に絶縁薄膜上に印刷し、次にマスク１上に接着し、或いは多層回印刷の方式を採用し、マスク１上において直接先に絶縁層を印刷し、次に導電層を印刷し、最後に絶縁層を印刷する。これら絶縁体は不導電の性質を備える他、同時に良好な抗酸化性質を備え、導電層の酸化、腐蝕を防止することができる。
各電極３と各導線５は一体成型とし、また二者を同時に前記マスク１上に印刷することができる。各電極３と各導線５を別々の構成部品とする場合には、溶接或いは接続器４を用い接続する。
マスク１の各導線５と電気パルス発生器２間の接続は、ボタン式、磁石式或いは嵌入式接続器により接続し、またその他電子式接続器を採用することができ、いずれの方式も印刷回路を接続することができる。
【００１５】
電気パルス発生器２のパルスは、一種以上の波型或いは周波数を組合せ構成する。電気パルス発生器２は、各式の低周波皮膚経由神経刺激器、或いは調制中周波機、或いはベクター皮膚経由神経刺激器で、その内の小型皮膚経由神経刺激器が比較的簡単で便利である。
電気パルス発生器２が発生するパルスは、あらゆる種の効果を備えるパルス或いは多種のパルスの組み合わせで、低週波は１から２００Ｈｚが最適で、調制中周波は１ＫＨｚから１０ＫＨｚが最適で、パルス幅は１０から１０００μ秒が最適で、中でも１００から２００μ秒が最も適している。パルス強度は人体が受けいれ可能な範囲とし、また様々なパルスの組合せが設定可能で、人体に起こり得る耐容性（tolerance）反応を減少させ、機能と効果を増強する。）
電気パルス発生器２が要する電源は、電池により供給することができる。電池は一般の電池或いはボタン電池で、また湾曲式のプラスチック電池或いは高分子リチウム電池とすることができる。
【００１６】
本考案のマスク形状は図１及び図２の実施例に限定しない。これらマスクは目、鼻、口等部位は開口を呈し、マスクの形状は顔面全体或いは顔面の一部を覆い、頚部或いは耳まで覆う形状とすることもできる。
【００１７】
（第２実施例）
0003137239.tif 000004
【００１８】
（第３実施例）
0003137239.tif 000005
【００１９】
（第４実施例）
本考案の第４実施例を図７に示す。マスク８は延伸し耳部８１及び頚部８２を形成し、これにより人体耳部及び頚部をカバーすることができ、上記各耳部及び頚部の関連ツボ位置に対して施術することができる。
【００２０】
（第５実施例）
本考案の第５実施例を図８に示す。マスク９はアイケア專用のマスクである。第５実施例のマスクは人の顔面の一部分だけを覆うことができる。
【００２１】
上記のように、本考案は、マスクの形状がいかなるものであろうと、前記マスク上の電極の位置はすべて、人体顔面及びマスクに覆われた部位の相対位置のツボに対応することができ、鍼灸あるいはマッサージと同等の効果を得ることができる。もし身体の他の部位に応用する場合には、各特定部位に適した形状に成型し、ツボ位置或いは神経筋肉刺激点に対応する部位上に前記各電極３を設置する。
例えば、乳房に使用すれば、豊胸及び乳房マッサージの効果が得られ、肩或いは腰に使用すれば、肩こり或いは腰の疼痛を緩和することができる。人体の膝部或いはその他関節部位に使用すれば、高齢者の膝関節退化を予防或いは改善し、その他関節部位のだるい痛みと疼痛感を緩和可能である。
【００２２】
（第６実施例）
本考案の第６実施例を図９に示す。マスク１と電気パルス発生器２間の接続方式は、電気接続線２７により接続し、電気パルス発生器２を直接マスク１上に設置する必要はない。
【００２３】
上記は本考案の実施例に過ぎず本考案を限定するものではない。当該技術を熟知する者なら誰でも、本考案が掲示する技術内容に基づき、本考案の製品と領域を脱しない範囲内で各種の変動や潤色を加えることができ、したがって本考案の保護範囲は、実用新案登録請求の範囲で指定した内容を基準とする。
【図面の簡単な説明】
【００２４】
【図１】本考案の第１実施例による健康器具の概略図である。
【図２】本考案の第１実施例による健康器具における導線を示した概略図である。
【図３】本考案の第１実施例による健康器具のパルス発生器の正面を示す概略図である。
【図４】本考案の第１実施例による健康器具のパルス発生器の背面を示す概略図である。
【図５】本考案の第２実施例による健康器具の概略図である。
【図６】本考案の第３実施例による健康器具の概略図である。
【図７】本考案の第４実施例による健康器具の概略図である。
【図８】本考案の第５実施例による健康器具の概略図である。
【図９】本考案の第６実施例による健康器具の概略図である。
【符号の説明】
【００２５】
１：マスク、１１：目開口、１２：鼻開口、１３：口開口、２：電気パルス発生器、２１：電源ＯＮスイッチボタン、２２：電源ＯＦＦスイッチボタン、２３：電流強度調整ボタン、２４：チャンネル選択ボタン、２５：電池蓋、２６：コンセント、３：電極、４：接続器、５：導線
【図１】
0003137239.tif 000006
【図２】
0003137239.tif 000007
【図３】
0003137239.tif 000008
【図４】
0003137239.tif 000009
【図５】
0003137239.tif 000010
【図６】
0003137239.tif 000011
【図７】
0003137239.tif 000012
【図８】
0003137239.tif 000013
【図９】
0003137239.tif 000014